(57)【要約】【課題】  ＡＦカメラではレリーズ釦を２段階で押し込む必要があるが不慣れな人にはその操作が難しい。【解決手段】  レリーズ釦（２２）の半押しでフォーカスロックを行い、その後の全押しでレリーズ動作を行なうタイプのＡＦカメラ（１０）に、簡易撮影モード設定釦（２３）を設け、この簡易撮影モード設定釦による簡易撮影モードに設定時には、レリーズ釦の半押しで直ちにレリーズ動作を行なう。【選択図】図１
2005215666.tif 000002
【特許請求の範囲】
【請求項１】
レリーズ釦の半押しでフォーカスロックを行い、全押しでレリーズ動作を行うタイプのカメラにおいて、
レリーズ釦の半押しでレリーズ動作が行える簡易撮影モードを備えたことを特徴とするカメラ。
【請求項２】
前記簡易撮影モードでは、レリーズ釦の半押しで、オートフォーカス動作を行い、合焦すれば直ちにレリーズ動作を行う請求項１記載のカメラ。
【請求項３】
前記簡易撮影モードでは、被写体距離を固定値にセットし、レリーズ釦の半押しで直ちにレリーズ動作を行う請求項１記載のカメラ。
【請求項４】
レリーズ釦の半押しでフォーカスロックを行い、全押しでレリーズ動作を行うタイプのカメラにおいて、
レリーズ釦と別に簡易撮影釦を備え、この簡易撮影釦の押動により直ちにレリーズ動作を行なうことを特徴とするカメラ。
【請求項５】
前記簡易撮影釦の押動により、オートフォーカス動作を行い、合焦すれば直ちにレリーズ動作を行う請求項４記載のカメラ。
【請求項６】
前記簡易撮影釦の押動により、被写体距離を固定値にセットにしてレリーズ動作を行う請求項４記載のカメラ。
【請求項７】
前記簡易撮影釦の押動を有効にするスイッチを備える請求項５または６記載のカメラ。
【請求項８】
前記簡易撮影釦の押動を有効にするスイッチを備え、前記スイッチのオンの時点で、被写体距離を固定値にセットする請求項６記載のカメラ。
【発明の詳細な説明】
【技術分野】
【０００１】  本発明は、オートフォーカスの機能のカメラに関する。
【背景技術】
【０００２】  現在出回っている殆どのカメラにオートフォーカス（ＡＦ）機能が備えられている。その動作を例えば特開２００３−９０９５４号公報を引用して説明する。【０００３】  図７にて、撮影者によりカメラの不図示のメインＳＷがオンされると、ＣＰＵがパワーオンリセットされて動作を開始し、Ｉ／Ｏボートの初期化とＲＡＭの初期化が行われる（ステップ１、以下Ｓ１）。続いてＡＦ用ＩＣからの出力に基づいてＡＦの演算を行う（Ｓ２）。そして測光を行い（Ｓ３）、レリーズ釦の半押しで１ＲＳＷがオンなっているかの判定を行う（Ｓ４）。オンであればＳ８にて測光を行い、続いてＡＦに必要な演算を行う（Ｓ９）。なお、この演算は、Ｓ２の１ＲＳＷがオフしているときのＡＦとは異なってレンズ駆動する駆動量を演算するためのＡＦである。【０００４】  そして、レンズ駆動を行った後（Ｓ１０）、撮影レンズが合焦しているかを判断する（Ｓ１１）。これは、レンズ駆動によって撮影レンズが合焦位置まで駆動されたかを判断する。ここで、撮影レンズが合焦していないならばＳ２に戻り、合焦するまで繰り返し、合焦すればＳ１２に進み、レリーズ釦の全押しで２ＲＳＷがオンしているかどうかを判定する。オンであればＳ１３に進み、絞りを演算した値まで駆動し、メインミラーをアップする（Ｓ１４）。【０００５】  そして、シャッターを演算した開口時間だけ開口するように制御し（Ｓ１５）、前記シャッターが指定時間開口したら前記メインミラーをダウンし（Ｓ１６）、絞りを開放にセットし（Ｓ１７）、前記シャッターを初期状態にチャージする（Ｓ１８）。そして１駒巻き上げを行って（Ｓ１９）、Ｓ２に戻り以上の動作を繰り返す。【０００６】  また、二人のスナップ写真を撮る時に、投光ビーム２が二人の間を抜ける中抜け状態を回避するために、撮影者が操作する中抜け防止釦を設け、この中抜け防止釦が押されたときは、レリーズ釦の半押しで、予め設定されている所定の撮影距離となるようにレンズ部を駆動し、次の全押しでレリーズ動作を行なうカメラが特許文献２に開示されている。
【特許文献１】特開２００３−９０９５４号公報
【特許文献２】特開平０６−０５１１９４号公報
【発明の開示】
【発明が解決しようとする課題】
【０００７】  このようにオートフォーカスのカメラにあっては、レリーズ釦の半押しでフォーカスロックを行い、続く全押しでレリーズ動作を行うため、レリーズ釦を２段階で押し込む必要がある。しかし、観光地などで撮影を他人に依頼した場合、その人がこの主のカメラに不慣れな場合は、最初の半押しで撮影したもの思ってその時点で押動をやめてしまうと撮影されない。機種によってレリーズ釦のタッチの具合が異なるため２段階で押したつもりでも１段階の場合もある。そこでレリーズ釦を強く押すように依頼してカメラぶれを招いたこともある。【０００８】  最近のカメラは高機能化してよい写真が撮れるようになったが、他人がそのカメラを手にとってすぐに扱えるようにはなっていない。
【課題を解決するための手段】
【０００９】  本発明は、撮影にレリーズ釦の２段階の押し込みが必要なカメラであっても、簡易撮影モードに設定すれば、１段階の押し込み（半押し）で直ちにレリーズ動作が行われる。あるいは、レリーズ釦と別に簡易撮影釦を備え、この簡易撮影釦の押動により直ちにレリーズ動作を行なわせる。
【発明の効果】
【００１０】  ワンプッシュでシャッターが切れるカメラしか扱ったことのない人でも、同じ感覚で撮影できるので失敗がなくなる。
【発明を実施するための最良の形態】
【００１１】  図１は、この発明の実施の形態１、２に共通のカメラの外観構成を示すもので、カメラ１０の前面部１１には、ファインダパネル１２、ＡＦパネル１３、ストロボパネル１４が所定の間隔で位置する。そして前面部１１のほぼ中央部には、内部に撮影レンズを保有する鏡枠ユニット１５が配される。カメラ１０の上面部２１には、レリーズ釦２２が配され、更に、レリーズ釦２２の半押しでレリーズ動作が行われる簡易撮影モードに設定するための簡易撮影モード設定釦２３と、簡易撮影モード設定時に点灯するランプ２４が配される。【００１２】  図２は第１の実施形態の動作を示している。この図２は図７と比較してわかるように、簡易撮影モードの判定のステップ（Ｓ１１ａ）が付加されている。この簡易撮影モードが設定されていない時は、合焦判定（Ｓ１１）から２ＲＳＷのオン判定（Ｓ１２）に進むので動作は図７の場合と同じである。尚、カメラ１０はファインダー式のものであるため、ここでは図７のミラーアップ（Ｓ１４）、ミラーダウン（Ｓ１６）、絞り開放（Ｓ１７）のステップは含まれない。【００１３】  一方、簡易撮影モードが設定されている時は、合焦判定（Ｓ１１）後、２ＲＳＷのオン判定（Ｓ１２）をスキップして、Ｓ１３以降に進むため、レリーズ釦２２の半押しで、合焦後、直ちにレリーズ動作が行われる。レリーズ釦２２の半押し後の全押し動作は無視される。この簡易撮影モードは、そのモードによる撮影が済むと、自動的にリセットされるようにしてもよく、あるいは簡易撮影モード設定釦２３の再度の押動でリセットされるようにしてもよい。【００１４】  図３は第２の実施形態の動作を示し、簡易撮影モードが設定されていない時の動作は図７の場合と同じである。一方、この簡易撮影モードが設定されている時は、レンズの駆動により（Ｓ２１）、予め、被写体までの距離を固定の距離（例えば３ｍ）にフォーカスロックする。そして、測光を行なって（Ｓ２２）から１ＲＳＷのオン判定（Ｓ２３）に進む。この時点で、レリーズ釦２２を半押しすれば、Ｓ１３〜Ｓ１９に進むため、１段階の押し込みのみで合焦後に直ちにレリーズ動作が行われる。このモードでは測光動作をなくし、絞り値を固定にしてもよい。【００１５】  この実施の形態２では、カメラ１０はパンフォーカスのカメラとして機能する。撮影シーンとしては人物撮影を想定しているので、被写体までの距離を３ｍ〜５ｍ程度に固定しておけばピンボケのない写真が得られる。このモードでは、レリーズ釦２２の押動でタイムラグなく撮影できるので速写が望まれる場合にもこのモードでの撮影が適する。【００１６】  図４はこの発明の実施の形態３、４に共通のカメラの外観構成を示すもので、カメラ３０の上面部２１には、レリーズ釦２２が配され、更に、ワンプッシュの押動でレリーズ動作が行われる簡易撮影釦３１と、簡易撮影釦３１の押動を有効にする設定スイッチ３２を備える。【００１７】  図５は第３の実施形態の動作を示している。初期化（Ｓ１）の後、設定スイッチ３２の状態が判定され（Ｓ１１ｂ）、オフの場合は図７のＳ２へ進むことにより、本来のカメラとして機能する。【００１８】  一方、設定スイッチ３２がオンの時は、Ｓ２、Ｓ３で所定の制御を行った��に、簡易撮影釦３１の押動が判定される（Ｓ４１）。押動が判定されると、Ｓ８〜Ｓ１１にて所定のＡＦ制御が行われた後に、レリーズ動作がなされる（Ｓ１３〜Ｓ１９）。このように簡易撮影釦３１を用いることにより、ワンプッシュの押し込みで撮影がなされる。【００１９】  図６は第４の実施形態の動作を示し、設定スイッチ３２がオフの時の動作は図７の場合と同じである。一方、この設定スイッチ３２がオンの時は、図３と同様に、レンズの駆動により（Ｓ２１）、予め被写体までの距離を固定の距離（例えば３ｍ）にフォーカスロックする。そして、測光を行なって（Ｓ２２）から１ＲＳＷのオン判定（Ｓ２３）に進む。この時点で、簡易撮影釦３１が押動されればＳ１３〜Ｓ１９に進み、合焦後、直ちにレリーズ動作が行われる。上述したカメラはフィルム式のものであったが、デジタルカメラであっても同じように本発明を提供できる。
【図面の簡単な説明】
【００２０】
【図１】この発明の実施の形態１、２のカメラの外観図
【図２】実施の形態１の制御動作を示すフローチャート
【図３】実施の形態２の制御動作を示すフローチャート
【図４】この発明の実施の形態３、４のカメラの外観図
【図５】実施の形態３の制御動作を示すフローチャート
【図６】実施の形態４の制御動作を示すフローチャート
【図７】従来のカメラの外観図
【符号の説明】
【００２１】  ２２  レリーズ釦
２３  簡易撮影モード設定釦
２４  ランプ
３１  簡易撮影釦
３２  設定スイッチ
【図１】
2005215666.tif 000003
【図２】
2005215666.tif 000004
【図３】
2005215666.tif 000005
【図４】
2005215666.tif 000006
【図５】
2005215666.tif 000007
【図６】
2005215666.tif 000008
【図７】
2005215666.tif 000009